(57)【要約】      （修正有）【課題】効率を低下することなく、半導体光源素子の電流の立ち上がり波形を従来よりも改善する。【解決手段】半導体光源駆動装置２は、半導体光源素子３と直列に接続されたスイッチ素子ＳＷ１と、半導体光源素子３及びスイッチ素子ＳＷ１と並列に接続されたスイッチ素子ＳＷ２と、半導体光源素子３及びスイッチ素子ＳＷ１，ＳＷ２と電源との間に接続されたインダクタＬ１とを備える。制御回路２３は、スイッチ素子ＳＷ１を周期的にオン及びオフする制御信号ＰＷＭ１を発生する。制御回路２３は、各周期でスイッチ素子ＳＷ１をオフしている期間のうち、スイッチ素子ＳＷ１をオフからオンに遷移させる直前に、スイッチ素子ＳＷ１をオフしている時間長の１／１０以下の時間長の期間においてスイッチ素子ＳＷ２をオンし、他の期間においてスイッチ素子ＳＷ２をオフする制御信号ＰＷＭ２を発生する。【選択図】図２
2019054582.tif 000002
【特許請求の範囲】
【請求項１】
少なくとも１つの半導体光源素子を駆動する半導体光源駆動装置の制御回路であって、
前記半導体光源駆動装置は、前記半導体光源素子と直列に接続された第１のスイッチ素子と、前記半導体光源素子及び前記第１のスイッチ素子と並列に接続された第２のスイッチ素子と、前記半導体光源素子及び前記第１及び第２のスイッチ素子と電源との間に接続されたインダクタとを備え、
前記制御回路は、
前記第１のスイッチ素子を周期的にオン及びオフする第１の制御信号を発生し、
各周期で前記第１のスイッチ素子をオフしている期間のうち、前記第１のスイッチ素子をオフからオンに遷移させる直前に、前記第１のスイッチ素子をオフしている時間長の１／１０以下の時間長の期間において前記第２のスイッチ素子をオンし、他の期間において前記第２のスイッチ素子をオフする第２の制御信号を発生する、
制御回路。
【請求項２】
前記制御回路は、前記第１のスイッチ素子をオフしている時間長の１／２０以上かつ１／１０以下の時間長の期間において前記第２のスイッチ素子をオンするように、前記第２の制御信号を発生する、
請求項１記載の制御回路。
【請求項３】
前記第１及び第２の制御信号はＰＷＭ信号である、
請求項１又は２記載の制御回路。
【請求項４】
少なくとも１つの半導体光源素子を駆動する半導体光源駆動装置であって、
前記半導体光源素子と直列に接続された第１のスイッチ素子と、
前記半導体光源素子及び前記第１のスイッチ素子と並列に接続された第２のスイッチ素子と、
前記半導体光源素子及び前記第１及び第２のスイッチ素子と電源との間に接続されたインダクタと、
請求項１〜３のうちの１つに記載の制御回路とを備える、
半導体光源駆動装置。
【請求項５】
前記半導体光源素子及び前記第１のスイッチ素子と前記インダクタとの間に接続された第１のダイオードと、
前記インダクタ及び前記第１のダイオードと並列に接続された第２のダイオードとをさらに備え、
前記第２のスイッチ素子は、前記インダクタ及び前記第１のダイオードの間のノードに接続される、
請求項４記載の半導体光源駆動装置。
【請求項６】
前記半導体光源素子及び前記第１及び第２のスイッチ素子と電源との間に接続された電流検出抵抗と、
前記電流検出抵抗の両端にかかる電圧に基づいて前記半導体光源素子に流れる電流を検出する電流検出回路とをさらに備え、
前記制御回路は、前記半導体光源素子に流れる電流のピーク値を一定に保つように前記第１及び第２の制御信号を発生する、
請求項４又は５記載の半導体光源駆動装置。
【請求項７】
前記第１及び第２のスイッチ素子は電界効果トランジスタである、
請求項４〜６のうちの１つに記載の半導体光源駆動装置。
【請求項８】
少なくとも１つの半導体光源素子と、
請求項４〜７のうちの１つに記載の半導体光源駆動装置とを備える、
電子機器。
【請求項９】
前記第１のスイッチ素子と前記電源の第１の端子との間に接続された第１の半導体光源素子と、
前記第１のスイッチ素子と前記電源の第２の端子との間に接続された第２の半導体光源素子とを備える、
請求項８記載の電子機器。
【発明の詳細な説明】
【技術分野】
【０００１】
本開示は、少なくとも１つの半導体光源素子を駆動する半導体光源駆動装置の制御回路、そのような制御回路を備えた半導体光源駆動装置、及びそのような半導体光源駆動装置を備えた電子機器に関する。
【背景技術】
【０００２】
半導体光源素子を半導体光源駆動装置により駆動するとき、素子毎に定められた最低電流値以上の電流を流す必要がある。電流値が最低電流値未満になると、半導体光源素子は失灯する。
【０００３】
半導体光源素子の調光機能を実現するように、半導体のスイッチ素子をＰＷＭ（パルス幅変調）信号により駆動することが知られている。スイッチ素子は、半導体光源素子と並列に接続される場合と、直列に接続される場合とがある。
【先行技術文献】
【特許文献】
【０００４】
【特許文献１】特開２０１３−１１０４３０号公報
【発明の概要】
【発明が解決しようとする課題】
【０００５】
スイッチ素子を半導体光源素子と並列に接続する場合、半導体光源素子に電流が流れていない期間であってもスイッチ素子に電流が流れるので、常時、定電流電源が動作し、半導体光源駆動装置の全体効率が低下する。一方、スイッチ素子を半導体光源素子と直列に接続する場合、スイッチ素子がオンする瞬間に定電圧電源が電流を流し始めるので、電流の立ち上がり波形がなまってしまい、実際の電流値が目標の電流値より低下する。
【０００６】
本開示は、効率を低下することなく、半導体光源素子の電流の立ち上がり波形を従来よりも改善するように半導体光源素子を駆動する半導体光源駆動装置の制御回路を提供する。また、本開示は、そのような制御回路を備えた半導体光源駆動装置、及びそのような半導体光源駆動装置を備えた電子機器を提供する。
【課題を解決するための手段】
【０００７】
本開示の一態様に係る制御回路によれば、
少なくとも１つの半導体光源素子を駆動する半導体光源駆動装置の制御回路であって、
前記半導体光源駆動装置は、前記半導体光源素子と直列に接続された第１のスイッチ素子と、前記半導体光源素子及び前記第１のスイッチ素子と並列に接続された第２のスイッチ素子と、前記半導体光源素子及び前記第１及び第２のスイッチ素子と電源との間に接続されたインダクタとを備え、
前記制御回路は、
前記第１のスイッチ素子を周期的にオン及びオフする第１の制御信号を発生し、
各周期で前記第１のスイッチ素子をオフしている期間のうち、前記第１のスイッチ素子をオフからオンに遷移させる直前に、前記第１のスイッチ素子をオフしている時間長の１／１０以下の時間長の期間において前記第２のスイッチ素子をオンし、他の期間において前記第２のスイッチ素子をオフする第２の制御信号を発生する。
【発明の効果】
【０００８】
本開示の一態様に係る制御回路によれば、上述のように、半導体光源素子、第１及び第２のスイッチ素子、及びインダクタを接続し、第２のスイッチ素子を動作させることにより、効率を低下することなく、半導体光源素子の電流の立ち上がり波形を従来よりも改善することができる。
【図面の簡単な説明】
【０００９】
【図１】第１の実施形態に係るプロジェクタ１０の構成を示すブロック図である。
【図２】図１の半導体光源駆動装置２及び半導体光源素子３の構成を示す回路図である。
【図３】図２の半導体光源駆動装置２における各信号の波形を示すタイミングチャートである。
【図４】本実施形態の実施例に係る半導体光源駆動装置２における各信号の波形を示すグラフである。
【図５】第１の比較例に係る半導体光源駆動装置における各信号の波形を示すグラフである。
【図６】第２の比較例に係る半導体光源駆動装置における各信号の波形を示すグラフである。
【図７】第２の実施形態に係る半導体光源駆動装置２Ａ及び半導体光源素子３−１，３−２の構成を示す回路図である。
【発明を実施するための形態】
【００１０】
以下、図面を参照して、本開示の実施形態について説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【００１１】
［１．  第１の実施形態］
図１〜図５を参照して、第１の実施形態について説明する。
【００１２】
［１−１．  構成］
【００１３】
図１は、第１の実施形態に係るプロジェクタ１０の構成を示すブロック図である。プロジェクタ１０は、画像データを受けてスクリーン１１に投写する電子機器の一例である。プロジェクタ１０は、画像処理装置１、半導体光源駆動装置２、半導体光源素子３、ＭＥＭＳミラー装置４、及び光学系５を備える。画像処理装置１は、入力された画像データに基づいて半導体光源駆動装置２及びＭＥＭＳミラー装置４のための制御信号を生成する。半導体光源駆動装置２は、画像処理装置１からの制御信号に応じて、半導体光源素子３に供給する電流を制御する。半導体光源素子３は、例えば、１つ又は複数の発光ダイオードである。半導体光源素子３によって発生した光は、ＭＥＭＳミラー装置４に送られる。ＭＥＭＳミラー装置４は、画像処理装置１からの制御信号に応じて、半導体光源素子３から送られた光を光学系５を介してスクリーン７に投写する。
【００１４】
図２は、図１の半導体光源駆動装置２及び半導体光源素子３の構成を示す回路図である。半導体光源駆動装置２は、定電圧電源回路２１、電流検出回路２２、制御回路２３、ダイオードＤ１，Ｄ２、インダクタＬ１、電流検出抵抗Ｒ１、及びスイッチ素子ＳＷ１，ＳＷ２を備える。
【００１５】
半導体光源素子３は１つ又は複数の単位素子を含む。半導体光源素子３が複数の単位素子を含む場合、これらの単位素子は互いに直列及び／又は並列に接続される。各単位素子は、例えば発光ダイオードである。
【００１６】
定電圧電源回路２１により、直流の一定の入力電圧Ｖｉｎが発生される。
【００１７】
本開示では、定電圧電源回路２１を「電源」ともいう。
【００１８】
スイッチ素子ＳＷ１は、半導体光源素子３と直列に接続される。スイッチ素子ＳＷ２は、半導体光源素子３及びスイッチ素子ＳＷ１と並列に接続される。スイッチ素子ＳＷ１，ＳＷ２は、例えば電界効果トランジスタである。インダクタＬ１は、半導体光源素子３及びスイッチ素子ＳＷ１，ＳＷ２と定電圧電源回路２１との間に接続される。スイッチ素子ＳＷ２及びインダクタＬ１は昇圧回路を構成する。
【００１９】
本開示では、スイッチ素子ＳＷ１，ＳＷ２を「第１のスイッチ素子」及び「第２のスイッチ素子」ともいう。
【００２０】
制御回路２３は、画像処理装置１からの制御信号（調光信号）に基づいて、スイッチ素子ＳＷ１を周期的にオン及びオフする第１の制御信号ＰＷＭ１と、スイッチ素子ＳＷ２を周期的にオン及びオフする第２の制御信号ＰＷＭ２とを発生する。制御回路２３は、各周期でスイッチ素子ＳＷ１をオフしている期間のうち、スイッチ素子ＳＷ１をオフからオンに遷移させる直前の非常に短い期間においてスイッチ素子ＳＷ２をオンし、他の期間においてスイッチ素子ＳＷ２をオフするように制御信号ＰＷＭ２を発生する。制御回路２３は、例えば、スイッチ素子ＳＷ１をオフしている時間長の１／１０以下の時間長の期間においてスイッチ素子ＳＷ２をオンするように制御信号ＰＷＭ２を発生する。制御回路２３は、例えば、スイッチ素子ＳＷ１をオフしている時間長の１／２０以上かつ１／１０以下の時間長の期間においてスイッチ素子ＳＷ２をオンするように制御信号ＰＷＭ２を発生してもよい。
【００２１】
制御信号ＰＷＭ１及びＰＷＭ２は、例えばＰＷＭ信号である。制御信号ＰＷＭ１は、例えば、投写される画像の輝度を制御（調光）するように生成される。
【００２２】
ダイオードＤ１は、半導体光源素子３及びスイッチ素子ＳＷ１とインダクタＬ１との間に接続される。ダイオードＤ２は、インダクタＬ１及びダイオードＤ１と並列に接続される。スイッチ素子ＳＷ２は、インダクタＬ１及びダイオードＤ１の間のノードに接続される。ダイオードＤ１は、電流の逆流を阻止するために使用される。ダイオードＤ２は、スイッチ素子ＳＷ１がオンする時にインダクタＬ１から発生するサージ電圧によりスイッチ素子ＳＷ２が破壊することを防止するためのバイパスダイオードとして使用される。
【００２３】
本開示では、ダイオードＤ１，Ｄ２を「第１のダイオード」及び「第２のダイオード」ともいう。
【００２４】
電流検出抵抗Ｒ１は、半導体光源素子３及びスイッチ素子ＳＷ１，ＳＷ２と定電圧電源回路２１との間に接続される。電流検出回路２２は、電流検出抵抗Ｒ１の両端にかかる電圧に基づいて半導体光源素子３に流れる電流を検出する。制御回路２３は、半導体光源素子３に流れる電流のピーク値を一定に保つように制御信号ＰＷＭ１及びＰＷＭ２を発生する。制御回路２３は、調光信号と電流検出抵抗Ｒ１の電圧値とを比較し、演算されたデューティ比に応じて、スイッチ素子ＳＷ１をオン及びオフし、ＰＷＭ調光を行う。
【００２５】
半導体光源駆動装置２の出力電圧Ｖｏｕｔ及び出力電流Ｉｏｕｔが、半導体光源素子３に供給される。
【００２６】
このように、半導体光源駆動装置２は、半導体光源素子３と直列に接続されたスイッチ素子ＳＷ１により半導体光源素子３を駆動する回路に、必要なときにだけ動作する昇圧回路（すなわち、スイッチ素子ＳＷ２及びインダクタＬ１）を追加した構成を有する。
【００２７】
［１−２．  動作］
図３は、図２の半導体光源駆動装置２における各信号の波形を示すタイミングチャートである。制御信号ＰＷＭ１は、その各周期（期間Ｔ０により表す）において、スイッチ素子ＳＷ１をオフする期間Ｔ１と、スイッチ素子ＳＷ１をオンする期間Ｔ２とを有する。制御信号ＰＷＭ２は、その各周期において、スイッチ素子ＳＷ１をオフしている期間Ｔ１のうち、スイッチ素子ＳＷ１をオフからオンに遷移させる直前に、期間Ｔ１の時間長の１／１０以下の時間長を有する期間Ｔ３を有する。制御信号ＰＷＭ２の期間Ｔ３では、スイッチ素子ＳＷ２はオンされ、制御信号ＰＷＭ２の期間Ｔ３以外の他の期間では、スイッチ素子ＳＷ２はオフされる。従って、スイッチ素子ＳＷ２は、スイッチ素子ＳＷ１がオンする直前に必ずオフされる。期間Ｔ３においてインダクタＬ１にエネルギーが蓄積されることにより、出力電圧Ｖｏｕｔを昇圧する。このようにスイッチ素子ＳＷ２を動作させることにより、効率を低下することなく、半導体光源素子３の電流の立ち上がり波形を従来よりも改善することができる。
【００２８】
図３によれば、定電圧電源回路２１により一定の入力電圧Ｖｉｎが発生し、各周期の大部分の期間では、定電圧電源回路２１からインダクタンスＬ１及びダイオードＤ１を介して半導体光源素子３に一定の電圧Ｖ１が印加される。スイッチ素子ＳＷ２をオンしている期間Ｔ３において、出力電圧Ｖｏｕｔは電圧Ｖ１よりも低下する。スイッチ素子ＳＷ２をオンからオフに遷移したとき、出力電圧Ｖｏｕｔは過渡的に電圧Ｖ１を超えて増大する。その後、スイッチ素子ＳＷ１をオンすると、増大した出力電圧Ｖｏｕｔが半導体光源素子３に印加されるので、急峻な立ち上がりを有する出力電流Ｉｏｕｔが半導体光源素子３に流れる。
【００２９】
図４は、本実施形態の実施例に係る半導体光源駆動装置２における各信号の波形を示すグラフである。図４の上段は出力電流Ｉｏｕｔの波形を示し、中段は制御信号ＰＷＭ２の波形を示し、下段はスイッチ素子ＳＷ２のドレイン・ソース電圧Ｖｄｓの波形を示す。図４のグラフは、図２の回路を実際に動作させて測定された。測定において、１５０ｋＨｚの周波数及び５０％のデューティ比でパルス幅変調することにより、スイッチ素子ＳＷ１をオンするときに３Ａの電流値を有する出力電流Ｉｏｕｔを発生した。また、測定において、入力電圧Ｖｉｎは３８０Ｖであった。また、測定において、動作環境は常温であった。
【００３０】
図５は、第１の比較例に係る半導体光源駆動装置における各信号の波形を示すグラフである。図５は、図２の半導体光源駆動装置２から、スイッチ素子ＳＷ２、インダクタＬ１、及びダイオードＤ１，Ｄ２を除去した構成における出力電流（半導体光源素子３に流れる電流）の波形を示す。パルス幅変調、入力電圧、及び動作環境の条件は、図４の場合と同じであった。
【００３１】
図４及び図５を比較すると、比較例（図５）では、スイッチ素子ＳＷ１をオンする瞬間の立ち上がり波形がくずれているのに対して、本実施形態（図４）では、立ち上がり波形のくずれを比較例の場合よりも低減でき、矩形波に近づいていることがわかる。
【００３２】
図６は、第２の比較例に係る半導体光源駆動装置における各信号の波形を示すグラフである。図６は、実施形態に係る半導体光源駆動装置２において、スイッチ素子ＳＷ１をオフからオンに遷移させる直前の期間Ｔ３ではなく、スイッチ素子ＳＷ１をオンした後の短い期間においてスイッチ素子ＳＷ２をオンする場合を示す。図４と同様に、図６の上段は出力電流Ｉｏｕｔの波形を示し、中段は制御信号ＰＷＭ２の波形を示し、下段はスイッチ素子ＳＷ２のドレイン・ソース電圧Ｖｄｓの波形を示す。パルス幅変調、入力電圧、及び動作環境の条件は、図４の場合と同じであった。
【００３３】
図６によれば、スイッチＳＷ２をオンする期間の時間的位置が不適切であることに起因して、出力電流Ｉｏｕｔのオーバーシュートが発生している。出力電流Ｉｏｕｔのオーバーシュートが発生すると、半導体光源素子３を劣化させる可能性がある。一方、図４によれば、スイッチ素子ＳＷ１がオフからオンに遷移する直前に、期間Ｔ３にわたってスイッチ素子ＳＷ２をいったんオンし、その後オフする場合には、オーバーシュートは発生しない。
【００３４】
スイッチ素子ＳＷ２をオンする期間Ｔ３の時間長を、スイッチ素子ＳＷ１がオンする直前の、ごく短い期間に限定することで、昇圧による損失を小さくすることができる。この損失は、半導体光源駆動装置２の全体効率には殆ど影響しない。
【００３５】
制御回路２３は、期間Ｔ３の長さを固定値に設定してもよく、図５に示すような波形のくずれを補償して出力電流Ｉｏｕｔの波形を矩形波に近づけるように期間Ｔ３の長さを決定してもよい。
【００３６】
［１−３．  効果等］
第１の実施形態に係る制御回路、半導体光源駆動装置、及び電子機器は、以下の構成を備える。
【００３７】
第１の実施形態に係る制御回路２３は、少なくとも１つの半導体光源素子３を駆動する半導体光源駆動装置２の制御回路２３である。半導体光源駆動装置２は、半導体光源素子３と直列に接続されたスイッチ素子ＳＷ１と、半導体光源素子３及びスイッチ素子ＳＷ１と並列に接続されたスイッチ素子ＳＷ２と、半導体光源素子３及びスイッチ素子ＳＷ１，ＳＷ２と定電圧電源回路２１との間に接続されたインダクタＬ１とを備える。制御回路２３は、スイッチ素子ＳＷ１を周期的にオン及びオフする第１の制御信号ＰＷＭ１を発生する。制御回路２３は、各周期でスイッチ素子ＳＷ１をオフしている期間Ｔ１のうち、スイッチ素子ＳＷ１をオフからオンに遷移させる直前に、スイッチ素子ＳＷ１をオフしている時間長の１／１０以下の時間長の期間Ｔ３においてスイッチ素子ＳＷ２をオンし、他の期間においてスイッチ素子ＳＷ２をオフする第２の制御信号ＰＷＭ２を発生する。
【００３８】
第１の実施形態に係る制御回路２３は、スイッチ素子ＳＷ１をオフしている時間長の１／２０以上かつ１／１０以下の時間長の期間Ｔ３においてスイッチ素子ＳＷ２をオンするように、第２の制御信号ＰＷＭ２を発生してもよい。
【００３９】
第１の実施形態に係る制御回路２３によれば、第１の制御信号ＰＷＭ１及び第２の制御信号ＰＷＭ２はＰＷＭ信号であってもよい。
【００４０】
第１の実施形態に係る半導体光源駆動装置２は、少なくとも１つの半導体光源素子３を駆動する半導体光源駆動装置２である。半導体光源駆動装置２は、半導体光源素子３と直列に接続されたスイッチ素子ＳＷ１と、半導体光源素子３及びスイッチ素子ＳＷ１と並列に接続されたスイッチ素子ＳＷ２と、半導体光源素子３及びスイッチ素子ＳＷ１，ＳＷ２と定電圧電源回路２１との間に接続されたインダクタＬ１と、制御回路２３とを備える。
【００４１】
第１の実施形態に係る半導体光源駆動装置２は、半導体光源素子３及びスイッチ素子ＳＷ１と、インダクタＬ１との間に接続されたダイオードＤ１と、インダクタＬ１及びダイオードＤ１と並列に接続されたダイオードＤ２とをさらに備えてもよい。スイッチ素子ＳＷ２は、インダクタＬ１及びダイオードＤ１の間のノードに接続される。
【００４２】
第１の実施形態に係る半導体光源駆動装置２は、半導体光源素子３及びスイッチ素子ＳＷ１，ＳＷ２と定電圧電源回路２１との間に接続された電流検出抵抗Ｒ１と、電流検出抵抗Ｒ１の両端にかかる電圧に基づいて半導体光源素子３に流れる電流を検出する電流検出回路２２とをさらに備えてもよい。制御回路２３は、半導体光源素子３に流れる電流のピーク値を一定に保つように第１の制御信号ＰＷＭ１及び第２の制御信号ＰＷＭ２を発生する。
【００４３】
第１の実施形態に係る半導体光源駆動装置２によれば、スイッチ素子ＳＷ１，ＳＷ２は電界効果トランジスタであってもよい。
【００４４】
第１の実施形態に係る電子機器は、少なくとも１つの半導体光源素子３と、半導体光源駆動装置２とを備える。
【００４５】
第１の実施形態によれば、上述のように、半導体光源素子３、スイッチ素子ＳＷ１，ＳＷ２、及びインダクタＬ１を接続し、スイッチ素子ＳＷ２を動作させることにより、効率を低下することなく、半導体光源素子３の電流の立ち上がり波形を従来よりも改善することができる。
【００４６】
第１の実施形態によれば、半導体光源素子３の電流を調光する際、少量の部品を追加するだけで、効率を低下することなく、半導体光源素子３の電流の立ち上がり波形を改善することができる。
【００４７】
第１の実施形態によれば、低輝度で点灯するときのフリッカーなどの改善も期待できる。
【００４８】
［２．  第２の実施形態］
図７を参照して、第２の実施形態について説明する。
【００４９】
第１の実施形態では、１つの半導体光源素子３を駆動する場合について説明した。しかしながら、本開示の実施形態に係る半導体光源駆動装置は、複数の半導体光源素子３を駆動してもよい。第２の実施形態では、このような場合について説明する。
【００５０】
図７は、第２の実施形態に係る半導体光源駆動装置２Ａ及び半導体光源素子３−１，３−２の構成を示す回路図である。半導体光源駆動装置２Ａは、図２の半導体光源駆動装置２と同様に構成される。半導体光源駆動装置２Ａにおいて、スイッチ素子ＳＷ１と定電圧電源回路２１の一方の端子との間に第１の半導体光源素子３−１が接続され、スイッチ素子ＳＷ１と定電圧電源回路２１の他方の端子との間に第２の半導体光源素子３−２が接続される。半導体光源素子３−１，３−２のそれぞれは、図２の半導体光源素子３と同様に、１つ又は複数の単位素子を含む。
【００５１】
第２の実施形態によれば、第１の実施形態の場合よりも、電子機器の設計上の自由度を向上させることができる。
【００５２】
［他の実施形態］
以上のように、本出願において開示する技術の例示として、各実施形態を説明した。しかしながら、本開示における技術は、これに限定されず、適宜、変更、置き換え、付加、省略などを行った実施形態にも適用可能である。また、上記実施形態で説明した各構成要素を組み合わせて、新たな実施形態とすることも可能である。
【００５３】
図１のプロジェクタ１０は、本開示に係る電子機器の一例である。ただし、本開示に係る電子機器は、レーザプリンタのように、半導体光源素子を駆動する他の画像形成装置などであってもよい。
【００５４】
以上のように、本開示における技術の例示として、実施形態を説明した。そのために、添付図面および詳細な説明を提供した。
【００５５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５６】
また、上述の実施形態は、本開示における技術を例示するためのものであるから、特許請求の範囲又はその均等の範囲において種々の変更、置き換え、付加、省略などを行うことができる。
【符号の説明】
【００５７】
１…画像処理装置、
２，２Ａ…半導体光源駆動装置、
３，３−１，３−２…半導体光源素子、
４…ＭＥＭＳミラー装置、
５…光学系、
１０…プロジェクタ、
１１…スクリーン、
２１…定電圧電源回路、
２２…電流検出回路、
２３…制御回路、
Ｄ１，Ｄ２…ダイオード、
Ｌ１…インダクタ、
Ｒ１…電流検出抵抗、
ＳＷ１，ＳＷ２…スイッチ素子。
【図１】
2019054582.tif 000003
【図２】
2019054582.tif 000004
【図３】
2019054582.tif 000005
【図４】
2019054582.tif 000006
【図５】
2019054582.tif 000007
【図６】
2019054582.tif 000008
【図７】
2019054582.tif 000009